(57)【要約】【課題】警備員を識別し、警備員の移動に伴い警備員毎に予め定められたエリアのみ警備モードの開始、解除を自動的に行う。【解決手段】警備モードが開始し（Ｓ１，ＹＥＳ）、次に警備エリア入口への侵入がありと判断すると（Ｓ２，ＹＥＳ）、警備員の所定の動作により、警備員を識別し（Ｓ３、Ｓ５）、それに基き警備エリアの判断を行う。また制御部は警備員までの距離を取得し（Ｓ６）、取得した距離と特定された警備エリアとにより当該警備エリアの警備モードを解除する（Ｓ７）。警備員が所定の距離範囲を超えて移動するとき、警備モードを開始させる（Ｓ８）。警備員が特定不可能の場合（Ｓ３，ＮＯ）、不審者の侵入あり等の異常処理を行う（Ｓ４）。【選択図】  図７
2008108186.tif 000002
【特許請求の範囲】
【請求項１】
警備モードの開始及び解除が可能な警備装置において、
監視対象者を認別する手段と、
前記監視対象者毎に設定された警備区域情報を記憶する手段と、
前記監視対象者の識別に基づき当該監視対象者の警備区域情報を取得する手段と、
前記監視対象者の位置情報を取得する手段と、
記憶手段から取得した警備区域情報と位置情報に基いて前記警備区域の警備モードを解除又は開始する手段と、
を備えたことを特徴とする警備装置。
【請求項２】
請求項１記載の警備装置において、
前記監視対象者を識別する手段は、監視対象者から発する固有の情報と、予め備えた基準情報を比較して監視対象者を識別することを特徴とする警備装置。
【請求項３】
請求項１又は２記載の警備装置において、
前記警備区域情報と位置情報に基いて警備区域の警備モードを解除又は開始する手段は、監視対象者が所定の位置に到着したとき当該警備区域の警備モードを解除し、所定の位置を離れたとき警備モードを開始することを特徴とする警備装置。
【請求項４】
請求項１乃至３のいずれかに記載の警備装置において、
前記所定の位置は、警備区域の入口からその手前の所定距離内の位置であることを特徴とする警備装置。
【発明の詳細な説明】
【技術分野】
【０００１】
本発明は、警備員が巡回警備を行うとき、警備モードを開始状態から解除状態に切り替えて警備を行う警備装置に関する。
【背景技術】
【０００２】
近年、オフィスや倉庫等の建物の所定の場所に各種の防犯センサーを取付け、この防犯センサーが侵入者を検出すると、管理センターで警報装置が作動する機械警備装置と警備員による巡回警備からなる警備システムが多く使用されている。
【０００３】
従来、警備システムとして、警備員がＩＣカードを携えて警備区域の入口に接近すると端末装置がＩＣカードから警備員を識別する情報を取得し、この結果に基いて警備区域の防犯センサー回路をオフして警備モードを一時的に解除する。この一時的解除によって、警備員自らが警備システムに異常侵入者として検知されることなく、警備区域を巡回警備することができる警備システムが知られている（特許文献１参照：以下、第１従来発明という）。
【０００４】
また従来、一般社員とは別の警備員専用の警備員識別センサーを設け、そのセンサーが警備員の入館を検知すると、当該警備員が担当する警備区域を表示装置の画面に表示し、表示された警備区域の照明装置をオン、防犯センサー回路をオフして警備モードを一時的に解除する。この表示によって警備員が警備区域を過誤することなく、また警備モードの一時的解除によって自らが警備システムに検知されることなく巡回警備することができるシステムが知られている（特許文献２参照：以下、第２従来発明という）。
【特許文献１】特開平２−１２１１００号公報
【特許文献２】特開平１０−４９７８６号公報
【発明の開示】
【発明が解決しようとする課題】
【０００５】
しかしながら第１従来発明は、警備員はＩＣカードを所持し、ＩＣカードを所持する全ての警備員について全ての警備区域の警備モードを解除できるようになっており、警備員の信頼性や警備作業能力等に応じた警備体制についての配慮がなされていない。また警備開始モードへの復帰は、警備モードの解除と同時にタイマーをセットし、タイマーの設定時間が終了するまでなされないようになっている。このため設定時間の終了前の早い時間帯に巡回警備作業が終了すると、警備員は警備モードが復帰しないまま、つまり警備モードが解除されたまま次の警備区域に移動することになり、警備の隙間が生じるという問題がある。この問題を回避するためには、警備区域を細分化して各警備区域毎に警備員の入退室管理を行うこともできるが、そのためには多数のカードリーダが必要になりコストが掛かるという問題がある。また警備員は必ずＩＣカードを所持して巡回警備に出かけなければならず、警備のたび毎にＩＣカードを持出し返却する手続きは面倒である。
【０００６】
また第２従来発明は、警備員識別センサーが警備員の入館を検知するとき、警備モードの解除を全ての警備区域について一括して行い、また退館を検知するとき警備開始モードへの復帰を一括して行っている。従って、最初の警備区域の警備モードの解除状態は、最後の警備区域の警備モードが解除されるまで維持されることになるので、警備に大きな隙間が生じることになる。また警備員による入館の際の暗証番号の入力操作は面倒であった。
この第２従来発明においても、警備区域を細分化して各警備区域毎に警備員の入退室管理を行うこともできるが、館内に多数の警備員識別センサーを配置しなければならず、この場合もコストが掛かるという問題がある。
【０００７】
更に第１及び第２従来発明とも、予め決められた警備区域について警備員の到着に先立ち事前に当該警備区域の警備モードを解除することはなされていない。
【０００８】
そこで本発明は、このような実情に鑑みてなされたものであり、第１の目的は、警備員等の監視対象者を簡単に識別できるようにすることであり、第２の目的は、監視対象者毎に予め定められた警備エリアのみを警備エリアとすることができるようにするため、監視対象者のいる場所を識別と同時に検出して、警備区域の解除及び開始制御を自動的に行えるようにすることであり、またその結果、警備の隙間が生じることなく効率的に警備区域の警備作業ができるようにすることである。
【課題を解決するための手段】
【０００９】
請求項１の発明は警備装置であって、警備モードの開始及び解除が可能な警備装置において、監視対象者を認別する手段と、前記監視対象者毎に設定された警備区域情報を記憶する手段と、前記監視対象者の識別に基づき当該監視対象者の警備区域情報を取得する手段と、前記監視対象者の位置情報を取得する手段と、記憶手段から取得した警備区域情報と位置情報に基いて前記警備区域の警備モードを解除又は開始する手段とを備えたことを特徴とする。
請求項２の発明は、請求項１記載の警備装置において、前記監視対象者を識別する手段は、監視対象者から発する固有の情報と、予め備えた基準情報を比較して監視対象者を識別することを特徴とする。
請求項３の発明は、請求項１又は２記載の警備装置において、前記警備区域情報と位置情報に基いて警備区域の警備モードを解除又は開始する手段は、監視対象者が所定の位置に到着したとき当該警備区域の警備モードを解除し、所定の位置を離れたとき警備モードを開始することを特徴とする。
請求項４の発明は、請求項１乃至３のいずれかに記載の警備装置において、前記所定の位置は、警備区域の入口からその手前の所定距離内の位置であることを特徴とする。
【発明の効果】
【００１０】
本発明によれば、警備員等の監視対象者を、簡易な方法でかつ確実に識別することができる。また、監視対象者の移動に伴って、当該監視対象者毎に割り当てられた警備エリアの警備モード解除及び警備モード開始を自動的に行うことができるので、監視対象者は意識することなく、構内を巡回したり特定区域に立ち入ることができる。しかも、第三者が警備モード解除の隙間を狙って警備区域に侵入するのを防止できる。
【発明を実施するための最良の形態】
【００１１】
はじめに、本発明に係る警備装置が使用される警備システムについて図面を参照して説明する。
一般に警備システムは、ビル等の建物の部屋に設置された防犯センサーの異常を、この建物から離れた管理センターで検知し、異常が発生したことを警報する機械警備システムを構築した上で、更に警備員が所定の時間毎に警備エリアを巡回警備するシステムになっている。
図１は、本発明の実施形態に係る警備システムの全体イメージを示す図である。図において、本警備システムは、警備員１の動作を撮像し、動作画像を作成する、また警備員１の位置を検出するカメラ装置２、警備エリアの天井に設置される人体センサー３、開閉窓に設置される窓破壊センサー４及び警備エリアの入出口ドアに設置される解錠センサー５と通信線６を介して接続される別のビルに設置されたセンター装置７等により構成される。
【００１２】
警備員１は、識別のための情報を発信するため、例えば、警備員毎に腕を真上に1回上げる、或いは真上に２回上げる等の各警備員毎に決められたそれぞれ異なる所定の動作を行うことが義務付けられている。
【００１３】
カメラ装置２は、撮像機能及び例えばレーザー方式の測距機能を有する装置である。警備員１がカメラ装置２に向かって所定の動作を行うと、カメラ装置２はその動作を撮像する。そして撮像した映像から所定時間毎に画像を切出した画像（以下、動作画像）を作成すると共に、リアルタイムで警備員１までの距離を測定し、所定の距離単位例えば３０ｃｍ刻みで処理し、動作画像情報と距離情報を通信線６を介してセンター装置７に送信する。
【００１４】
ここで、警備員の動作がある特定の警備員に予め定められた所定の動作か否かを判断する手法は、例えば、本出願人が先に出願した特願２００６−１８１６３３号で開示した手法を用いることができる。即ち、監視対象者ここでは警備員の正規の動作工程のチェックポイントを複数指定して、監視カメラで撮影した警備員の所定の動作のチェックポイントにおける撮影画像を切り出し、抽象化処理を施して処理画像を作成し、その処理画像に対して膨張及び縮小処理して警備員の動作の許容最大画像及び最小画像（つまり、例えば、右手を上げるときの誤差の範囲を設定するため、許容される最小動作と最大動作画像を作成し、実際の処理画像がその間にあれば正規の動作が行われていると判断する）を作成し、最大画像及び最小画像からなる画像を基準画像として予め画像メモリに記憶しておく。
この基準画像は、全ての警備員について個別に作成し予め画像メモリに記憶しておく。
【００１５】
警備員の識別時には、警備員が行う所定の動作の撮影画像からチェックポイント画像を取得して抽象化処理を施して作成した処理画像と記憶された全ての基準画像とを比較し、処理画像が適合するものがあるか否か（即ち、いずれかの基準画像の前記最小及び最大動作画像間に入るか否か）、を判断する。適合するものがあると判断したときは、次のチェックポイント２の画像を取得して抽象化処理した処理画像と当該ポイントの基準画像と比較する。この場合は、第1のチェックポイントで適合した基準画像のみについてチェックポイント２のチェックを行う。
このようにして、所定時間内に指定した全てのチェックポイントの動作画像に適合すれば、正規の警備員であると判断して警備を解除する。
【００１６】
なお、人体センサー３及び窓破壊センサー４並びに解錠センサー５は、汎用の赤外線方式の人体センサー及び窓破壊や解錠による電路切断方式によるセンサーが使用され、不審者を検出したときは、例えば警報を鳴らしたり、センター装置７を介して警備会社のセンターに通報したりする。
【００１７】
センター装置７は、小型のコンピュータ装置である。
図２は、センター装置７の構成を示すブロック図であり、図中、ＣＰＵ（制御部）７１は警備装置全体を制御する装置、ＲＯＭ７２はセンター装置７の起動プログラムを記憶する装置、ＲＡＭ７３は処理情報を一時的に記憶する装置である。またＮＶ−ＲＡＭ７４は警備員毎の動作画像、警備員と当該警備員が警備をまかされた警備エリアとの関係を示すテーブル１、及び警備エリアと警備員の位置（カメラ装置２からの距離）との関係を示すテーブル２を記憶する装置である。また操作部７５はタッチキータイプの操作パネルから一括警備開始・解除等の操作を行い、表示部７６は液晶により警備状況等を表示し、送受信部７７はカメラ装置２が作成及び測定した、警備員１の動作画像情報及び距離情報を受信し、警備エリア毎に警備解除・開始信号を警備エリアに送信し、更に警報発信部７８は警備エリアへの不審者の侵入等を鳴動により警報する。
【００１８】
次に、警備システムの動作を更に図面を参照して説明する。
図３は、建物内のあるフロアーの警備エリアを鳥瞰した図である。図において、フロアー１００には、警備エリア（廊下）１０を挟んで、一方の側に事務室等の警備エリア１1から順番に警備エリア１３，１５，１７が、他方の側に警備エリア１２から順番に警備エリア１４，１６がある。これら警備エリア１１乃至１７にはそれぞれドア１１ｄ、１２ｄ、１３ｄ、１４ｄ、１５ｄ、１６ｄ、１７ｄが設けられ入退室できるようになっている。警備エリア（廊下）１０の突き当たり部分（紙面右側）の高所にカメラ装置２が設置されている。なお、ａ，ｂ，ｃ，ｄについては図６の説明と共に後述する。
【００１９】
図４は、廊下からその一方の側の警備エリアを見た図であり、図中、警備員はこのフロアーの巡回警備を開始するとき、警備エリア（廊下）の入口側（紙面左側）においてカメラ装置２に向かって所定の動作を行い、既に説明した識別方法によりセンター装置７に警備員を識別させる。
【００２０】
図５は、警備員と当該警備員が警備可能な警備エリアの関係を示すテーブル１の図である。図において、○印は警備のために入室可能な警備エリアを示し、×印は入室不可能な警備エリアを示す。
警備員Ａは、警備エリア（廊下）１０、警備エリア１１，１３，１５，１７について警備を任されており入室可能になっている。警備員Ｂは、警備エリア（廊下）１０、警備エリア１１乃至警備エリア１７の全てのエリアについて警備を任されており、警備員Ｃは、警備エリア（廊下）１０のみの警備が可能である。このテーブル１はＮＶ−ＲＡＭ７４に記憶される。
【００２１】
また、ＮＶ−ＲＡＭ７４には、警備エリア（事務室等）と、警備員の警備エリア（廊下）におけるカメラ装置２からの距離ｘとの関係がテーブル２として記憶されている。このテーブル２によりセンター装置７は、警備員が警備エリアのドアの手前５メートルの位置に到着したとき、当該警備エリアの警備モードを解除する。
【００２２】
図６は、警備エリアと、警備員１の警備エリア（廊下）におけるカメラ装置２からの距離ｘとの関係を示すテーブルの図である。再度図３を参照し、ａは、廊下１０におけるカメラ装置２からドア１１ｄのカメラ装置２側の端部までの距離を示す。ｂは同じようにドア１２ｄ端部までの距離、以下、ｃ、ｄについても同様にそれぞれドア１３ｄ、１４ｄの端部までの距離を示す。
【００２３】
そこで図６のテーブル２は、警備エリア１１と、距離ａからそれに５ｍを付加した距離ａ＋５までの距離を、３０ｃｍ刻みの数値として書き込んでいる。警備エリア１２，１３，１４についても同じであり、図６では図示を省略しているが警備エリア１５乃至１７についても同様である。
【００２４】
いま、例えば夜間の警備時間帯に入り、操作部７５から警備開始が指示されると、制御部７１は一括してドアの施錠、照明装置の消灯、各種防犯センサー回路の起動を行い、フロアー１００の警備エリアは警備開始状態（警備モード）に移行する。
【００２５】
この状態で警備員Ａが巡回警備のため警備エリア（廊下）１０に到着すると、カメラ装置２に向かい警備員Ａに決められた動作を行う。するとカメラ装置２は、それを撮像し動作画像を作成する、またリアルタイムで警備員Ａまでの距離を測定、３０ｃｍ刻みで処理し、動作画像情報と距離情報をセンター装置７に送信する。センター装置７は、この情報を送受信部７７で受信し、この情報が受信されると、制御部７１は、上述のように指定したチェックポイントにおける撮影画像を抽象化処理した処理画像と当該ポイントの基準画像とを比較し、警備員が警備員Ａであると判断（同定）する。この判断に基いて制御部７１は、ＮＶ−ＲＡＭ７４のテーブル１を参照して、警備員Ａに任されている警備エリアの照明装置の電源装置をオン、防犯センサーの接続回路をオフする警備モードの解除処理を行う。
【００２６】
ここで、警備エリア１１の警備モードを解除・開始する動作について述べる。警備エリア１１の室内照明の電源装置、防犯センサー回路は、例えば警備モードを制御するトランジスタのコレクタに接続されたリレーによりそのオンオフが制御される。トランジスタのベースには２入力論理積回路（アンド回路）が接続され、その一つの入力端子には、制御部７１から送られるテーブル１に基いたオン信号つまりテーブル１の○印に相当する信号が入力される。また他の入力端子には、制御部７１はテーブル２を参照し、例えば警備エリア１１の警備を任されている警備員Ａが警備エリア１１のドア１１ｄから５ｍ手前からドア１１ｄまでのエリア（以下、５ｍエリアという。）にいるか否かを判断し、その結果がリアルタイムで送信される。警備員Ａが５ｍエリアにいる場合には、オン信号が入力される。この結果、トランジスタのベース回路がオンとなりコレクタ回路が導通するのでリレーが動作し、室内照明の電源装置がオン、防犯センサー回路がオフとなり警備モードが解除される。
これに対し、警備員Ｂが警備エリア１１のドアの５ｍエリアにいることが識別されても、警備員Ｂは警備エリア１１の警備は任されていないので、トランジスタのベース回路はオフのままでリレーは動作せず、警備モードは解除されない。
【００２７】
このとき警備員Ａが巡回警備のため警備エリア１１に入室し５ｍエリアを離れると、入室と同時に入室検知センサー等の出力により、アンド回路の入力端子をホールドするようにすれば解除された警備モードは維持される。警備エリア１１内の巡回が終了し警備員Ａが退室すると入室検知センサーによるアンド回路のホールドはなくなるが、再度５ｍエリアの距離情報によるアンド回路のホールドが開始され警備モードは解除されたままである。そして、警備員Ａが次の警備エリアの巡回警備のため移動により警備エリア１１の５ｍエリアを外れると、アンド回路への距離情報の入力はなくなるので、警備エリア１１の警備モードは直ちに警備開始モードへと転換される。
【００２８】
図７は、警備モード解除の動作のフロー図である。このフロー図により警備モード解除の動作を説明する。
操作部７５の操作により警備モードが開始すると、制御部７１は警備モードが開始されているか否かを判断する（Ｓ１）。開始されていれば（Ｓ１，ＹＥＳ）、カメラ装置２により警備エリア（廊下）１０への侵入者がいるか否かを判断する（Ｓ２）。警備員１がカメラ装置２に向かい所定の動作を行うことにより、カメラ装置２は動作画像情報を作成し、送受信部７７が動作画像情報を受信することによって、制御部７１が侵入者ありと判断すると（Ｓ２，ＹＥＳ）、制御部７１はまず基準動作画像情報を参照してその侵入者が特定可能か否かを判断する（Ｓ３）。
【００２９】
動作ステップＳ１、及びＳ２において、警備モードが開始されていない場合（Ｓ１，ＮＯ）、及び侵入者がいない場合（Ｓ２，ＮＯ）は、警備モードが開始されているか否かの判断に戻る。動作ステップＳ３において警備員が特定不可能と判断される場合（Ｓ３，ＮＯ）は、不審者の侵入あり等の異常発生と判断し、警報発信部７８による音響警報の鳴動など異常処理を行う（Ｓ４）。
【００３０】
警備員の特定が可能な場合（Ｓ３，ＹＥＳ）、次にテーブル１を参照して当該警備員が警備員Ａ又はＢ又はＣのいずれであるかを識別し（Ｓ５）それに基く警備すべき警備エリアの判断を行う。
【００３１】
次に制御部７１は通信線６を介して送受信部７７からカメラ装置２が測定した警備員までの距離を取得する（Ｓ６）。そして更にテーブル２を参照して、取得した距離と識別された警備員の警備エリアとにより当該警備エリアの警備モードの解除処理を行う（Ｓ７）。更に次に警備員の警備エリア（廊下）における位置を取得し、テーブル２の距離範囲を超えて警備員Ａが移動するとき、当該警備エリアの解除されている警備モードを復帰させ再び警備モードを開始させる（Ｓ８）。
【００３２】
図８は、全ての警備エリアの警備を担当する警備員による警備解除及び開始の状態の遷移を示す図である。図において、警備員（この場合、警備員Ｂ）はエリア１１の警備モードを解除して警備を行い、その終了と共にエリア１２に移動するとき、事前にエリア１２は警備モードが解除される。エリア１３乃至１６は警備中である（状態１）。続いてエリア１２の警備を行い、その終了と共にエリア１３に移動するとき、事前にエリア１３は警備モードが解除される。エリア１１及びエリア１４乃至１６は警備中である（状態２）。以下同様に当該エリアの警備を行い、その終了と共に次のエリアに移動するとき状態３から状態４へと遷移する。
【００３３】
本実施形態において、警備員を特定する動作は、警備員による手を１回上げる又は2回上げる動作としたが、手旗信号形式の動作、或いは空中に文字を描く動作等を使用しこれらの動作を基準動作と比較し警備員を識別することも可能である。また５ｍエリアは任意の距離幅のエリアの設定が可能である。
【００３４】
本発明の実施形態によれば、警備員はＩＣカード等を所持する必要がなく、所定の動作のみで簡単に警備員を特定することができ、警備員の信頼性や警備作業能力等に応じて警備員毎に予め定められた警備エリアを巡回警備がすることができる、このとき警備員は予め定められた警備エリアのドア手前５ｍの位置に到着すると事前にその警備エリアの警備モードが解除され、またドアの位置から離れると警備モードが復帰するので、警備の隙間が生じることなく効率的に警備エリアの警備作業を行うことができる。
なお、警備エリアは部屋に限らず、各部屋に対応する廊下部分に設定することもできる。図３、図４において、２０〜２３は、廊下における警備エリアを示している。
警備エリアを廊下にも設定すると、例えば、警備員Ｃは、廊下の警備区域２０に対応する廊下以外の廊下部分には侵入できないから、仮に、警備区域２１に侵入すると不審者として検知され、センター側に通報され警報が鳴るなどの警戒措置が実行される。また、この設定では、部屋の警備を解除する前にまず廊下の警備を解除することが必要であるから、警備がより厳重になり安全管理が一層向上する。
【００３５】
以上の説明では、識別のために警備員が発信する情報は、警備員が監視カメラの前で予め各警備員毎に決められた動作を行うことであり、これを監視カメラで撮影して取り込み不審者か或いは警備員かを判別するものとして説明したが、識別のために警備員が発信する情報はこれに限らず、例えば、警備員毎に異なる発光タイミングで発光するＬＥＤ、或いは異なる色の発光体（例えば懐中電灯）を所持させ、その光を監視カメラで検知することで識別しても、或いは、例えば、警備員に所定の波長の反射光を発生する反射体を装着させ、その反射体の反射光から警備員を特定するものであってもよい。
【図面の簡単な説明】
【００３６】
【図１】警備システムの全体イメージを示す図である。
【図２】センター装置の構成を示すブロック図である。
【図３】建物内のあるフロアーの警備エリアを鳥瞰した図である。
【図４】廊下からその一方の側の警備エリアを見た図である。
【図５】警備員と当該警備員が警備可能な警備エリアとの関係を示すテーブルの図である。
【図６】警備エリアと監視対象者のカメラ装置からの距離との関係を示すテーブルの図である。
【図７】警備モードの開始及び解除の動作フローを示す図である。
【図８】警備モード解除及び開始の状態の遷移を示す図である。
【符号の説明】
【００３７】
１・・監視対象者、２・・カメラ装置、３・・人体センサー、４・・窓破壊センサー、５・・ドア解錠センサー、７・・センター装置、７１・・ＣＰＵ、７２・・ＲＯＭ、７３・・ＲＡＭ、７４・・ＮＶ−ＲＡＭ、７５・・操作部、７６・・表示部、７７・・送受信部、７８・・警報発信部。
【図１】
2008108186.tif 000003
【図２】
2008108186.tif 000004
【図３】
2008108186.tif 000005
【図４】
2008108186.tif 000006
【図５】
2008108186.tif 000007
【図６】
2008108186.tif 000008
【図７】
2008108186.tif 000009
【図８】
2008108186.tif 000010